(57)【要約】【課題】外乱ノイズの影響に考慮され、適切に綴じ部材を検出することのできる画像読取装置を提供する。【解決手段】画像読取装置は、原稿を読み取る読み取り部と、前記読み取り部に向けて原稿を送る原稿送り手段と、原稿が通された際の磁界の変化を検出することにより原稿を綴じる綴じ部材を検出する綴じ部材検出部と、前記綴じ部材検出部に原稿が通された際の当該原稿の通過を検出する原稿検出部と、前記原稿検出部による原稿の検出情報、及び前記綴じ部材検出部による磁界の変化の検出情報を受ける制御部とを備え、前記制御部は、前記原稿検出部が原稿の通過を検出していない原稿未検出状態において、前記綴じ部材検出部が磁界の変化を検出した場合、所定の処理を実行する。【選択図】図５
2019012895.tif 000002
【特許請求の範囲】
【請求項１】
原稿を読み取る読み取り部と、
前記読み取り部に向けて原稿を送る原稿送り手段と、
原稿が通された際の磁界の変化を検出することにより原稿を綴じる綴じ部材を検出する綴じ部材検出部と、
前記綴じ部材検出部に原稿が通された際の当該原稿の通過を検出する原稿検出部と、
前記原稿検出部による原稿の検出情報、及び前記綴じ部材検出部による磁界の変化の検出情報を受ける制御部と、を備え、
前記制御部は、前記原稿検出部が原稿の通過を検出していない原稿未検出状態において、前記綴じ部材検出部が磁界の変化を検出した場合、所定の処理を実行する、
ことを特徴とする画像読取装置。
【請求項２】
請求項１に記載の画像読取装置において、前記所定の処理は警告の報知である、
ことを特徴とする画像読取装置。
【請求項３】
請求項１または請求項２に記載の画像読取装置において、前記綴じ部材検出部は、磁界を発生させる磁界発生コイルと、前記磁界発生コイルにより発生した磁界を受信する磁界受信コイルと、を備えて構成され、
前記綴じ部材検出部は、前記原稿未検出状態における磁界の変化を、前記磁界発生コイルによる磁界の形成を止めた状態で行う、
ことを特徴とする画像読取装置。
【請求項４】
請求項３に記載の画像読取装置において、前記原稿検出部は、前記綴じ部材検出部に対する原稿の移動方向において前記綴じ部材検出部が前記綴じ部材を検出する検出位置に対し上流側の第１原稿検出部と下流側の第２原稿検出部とを備えて構成され、
前記制御部は、前記原稿検出部による原稿の検出情報と、前記綴じ部材検出部による磁界の変化の検出情報と、に基づき、前記綴じ部材検出部による検出物の前記移動方向における大きさを求める、
ことを特徴とする画像読取装置。
【請求項５】
請求項４に記載の画像読取装置において、前記綴じ部材検出部は、前記第１原稿検出部が原稿を検出した後に、前記磁界発生コイルによる磁界の形成を行う、
ことを特徴とする画像読取装置。
【請求項６】
請求項４に記載の画像読取装置において、前記綴じ部材検出部は、前記第１原稿検出部及び前記第２原稿検出部の双方が原稿を検出しない原稿未検出状態になった後に、前記磁界発生コイルによる磁界の形成を止める、
ことを特徴とする画像読取装置。
【請求項７】
請求項４から請求項６のいずれか一項に記載の画像読取装置において、前記制御部は、前記第１原稿検出部による原稿検出タイミングと前記第２原稿検出部による原稿検出タイミングとの時間差が第１の時間未満の場合、警告の報知を行う、
ことを特徴とする画像読取装置。
【請求項８】
請求項４から請求項６のいずれか一項に記載の画像読取装置において、前記制御部は、前記第１原稿検出部が原稿を検出した後、第２の時間未満に前記第２原稿検出部が原稿を検出しない場合、警告の報知を行う、
ことを特徴とする画像読取装置。
【請求項９】
原稿を読み取る読み取り部と、
前記読み取り部に向けて原稿を送る原稿送り手段と、
磁界の変化を検出することにより原稿を綴じる綴じ部材を検出する綴じ部材検出部と、を備え、
前記綴じ部材検出部は、第１部位と、当該第１部位と対向配置される第２部位と、を有し、前記第１部位と前記第２部位との間に原稿を通すことで前記綴じ部材を検出する構成を有するとともに、前記第１部位と前記第２部位との間隔を調整可能に構成されている、
ことを特徴とする画像読取装置。
【請求項１０】
請求項９に記載の画像読取装置において、前記間隔を検出する間隔検出手段を有し、
前記綴じ部材検出部は、磁界を発生させる磁界発生コイルを備えるとともに、前記間隔検出手段により検出された前記間隔に基づき、前記磁界の強さを調整する、
ことを特徴とする画像読取装置。
【請求項１１】
請求項１から請求項１０のいずれか一項に記載の画像読取装置において、前記綴じ部材検出部は、前記読み取り部を備える装置本体に一体に設けられている、
ことを特徴とする画像読取装置。
【発明の詳細な説明】
【技術分野】
【０００１】
本発明は、原稿を読み取る画像読取装置に関する。
【背景技術】
【０００２】
スキャナに代表される画像読取装置では、ホチキス留めされたままの原稿束をユーザーが誤ってセットし、給送ジョブが開始されてしまう場合がある。この場合、送り出される原稿においてホチキス留めされている部分が破れてしまうといった問題が生じる虞がある。  
特許文献１には、この様な問題に鑑み、原稿を一枚ずつに分離して送り出す送り出しローラよりも原稿送り方向上流部に、綴じ針を検知する為の非接触の金属探知器を備えた原稿供給装置が開示されている。特許文献１記載の原稿供給装置は、送り出しローラの回転即ち原稿供給動作が開始された後、金属探知器により綴じ針が検知されると、送り出しローラ等の駆動を停止する様に構成されている。
【先行技術文献】
【特許文献】
【０００３】
【特許文献１】特開平０９−０７７２８２号公報
【発明の概要】
【発明が解決しようとする課題】
【０００４】
ところで金属探知器には従来から種々の方式のものが提案されている。例えば、磁界を発生させるための磁界発生コイルと、前記磁界を受信するための磁界受信コイルとを対向配置し、その間に被検出物を通過させた際の前記磁界の変化を検出して金属物を検出するものが一般的である。  
従って原稿供給装置の設置場所が磁場の影響を受ける場所であると、それが外乱ノイズとなり、原稿供給装置における綴じ針の検出精度に悪影響が生じる虞がある。  
また逆に、金属探知器それ自体が発生する磁界により、原稿供給装置や、その周囲の物体に悪影響を及ぼす虞もある。
【０００５】
そこで本発明はこの様な問題に鑑み成されたものであり、その目的は、外乱ノイズの影響に考慮され、適切に綴じ部材を検出することのできる画像読取装置を提供することにある。
【課題を解決するための手段】
【０００６】
上記課題を解決する為の、本発明の第１の態様に係る画像読取装置は、原稿を読み取る読み取り部と、前記読み取り部に向けて原稿を送る原稿送り手段と、原稿が通された際の磁界の変化を検出することにより原稿を綴じる綴じ部材を検出する綴じ部材検出部と、前記綴じ部材検出部に原稿が通された際の当該原稿の通過を検出する原稿検出部と、前記原稿検出部による原稿の検出情報、及び前記綴じ部材検出部による磁界の変化の検出情報を受ける制御部と、を備え、前記制御部は、前記原稿検出部が原稿の通過を検出していない原稿未検出状態において、前記綴じ部材検出部が磁界の変化を検出した場合、所定の処理を実行することを特徴とする。
【０００７】
本態様によれば、前記制御部は、前記原稿検出部が原稿の通過を検出していない原稿未検出状態において、前記綴じ部材検出部が磁界の変化を検出した場合、即ち外乱ノイズを検出した場合、所定の処理を行うことで、より精度良く前記綴じ部材を検出することができる。  
尚、「所定の処理」とは、前記制御部による画像読取装置の構成要素の制御に限らず、前記制御部内での演算等の処理、即ち処理の結果が外部から視認可能なものに限らず視認不可能なものをも含む意味である。
【０００８】
本発明の第２の態様は、第１の態様において、前記所定の処理は警告の報知であることを特徴とする。  
本態様によれば、外乱ノイズを検出した場合、警告の報知を行うことで、リトライ動作をユーザーに促すことができ、ひいては前記綴じ部材を適切に検出することができる。
【０００９】
本発明の第３の態様は、第１のまたは第２の態様において、前記綴じ部材検出部は、磁界を発生させる磁界発生コイルと、前記磁界発生コイルにより発生した磁界を受信する磁界受信コイルと、を備えて構成され、前記綴じ部材検出部は、前記原稿未検出状態における磁界の変化を、前記磁界発生コイルによる磁界の形成を止めた状態で行うことを特徴とする。
【００１０】
本態様によれば、前記綴じ部材検出部は、前記原稿未検出状態における磁界の変化を、前記磁界発生コイルによる磁界の形成を止めた状態で行うので、前記原稿未検出状態における磁界の変化をより確実に検出できる。
【００１１】
本発明の第４の態様は、第３の態様において、前記原稿検出部は、前記綴じ部材検出部に対する原稿の移動方向において前記綴じ部材検出部が前記綴じ部材を検出する検出位置に対し上流側の第１原稿検出部と下流側の第２原稿検出部とを備えて構成され、前記制御部は、前記原稿検出部による原稿の検出情報と、前記綴じ部材検出部による磁界の変化の検出情報と、に基づき、前記綴じ部材検出部による検出物の前記移動方向における大きさを求めることを特徴とする。
【００１２】
本態様によれば、前記原稿検出部は、前記綴じ部材検出部の検出位置に対し上流側の第１原稿検出部と下流側の第２原稿検出部とを備えて構成されているので、前記検出位置に対する原稿の通過速度を算出することができる。そして前記制御部は、前記原稿検出部による原稿の検出情報（即ち原稿の通過速度）と、前記綴じ部材検出部による磁界の変化の検出情報と、に基づき、前記綴じ部材検出部による検出物の前記移動方向における大きさを求めるので、画像読取装置において搬送及び読み取りを正常に行うことができるもの（例えばアルミシール）とそうでないもの（例えば前記綴じ部材）とを区別することができ、後の制御に有効に利用することができる。
【００１３】
本発明の第５の態様は、第４の態様において、前記綴じ部材検出部は、前記第１原稿検出部が原稿を検出した後に、前記磁界発生コイルによる磁界の形成を行うことを特徴とする。
【００１４】
本態様によれば、前記綴じ部材検出部は、前記第１原稿検出部が原稿を検出した後に、前記磁界発生コイルによる磁界の形成を行うので、前記磁界発生コイルによる磁界の形成を必要最小限に抑えることで、画像読取装置や、その周囲の物体への前記磁界による悪影響を抑制できる。
【００１５】
本発明の第６の態様は、第４の態様において、前記綴じ部材検出部は、前記第１原稿検出部及び前記第２原稿検出部の双方が原稿を検出しない原稿未検出状態になった後に、前記磁界発生コイルによる磁界の形成を止めることを特徴とする。
【００１６】
本態様によれば、前記綴じ部材検出部は、前記第１原稿検出部及び前記第２原稿検出部の双方が原稿を検出しない原稿未検出状態になった後に、前記磁界発生コイルによる磁界の形成を止めるので、前記磁界発生コイルによる磁界の形成を必要最小限に抑えることで、画像読取装置や、その周囲の物体への前記磁界による悪影響を抑制できる。
【００１７】
本発明の第７の態様は、第４から第６の態様のいずれかにおいて、前記制御部は、前記第１原稿検出部による原稿検出タイミングと前記第２原稿検出部による原稿検出タイミングとの時間差が第１の時間未満の場合、警告の報知を行うことを特徴とする。
【００１８】
前記第１原稿検出部による原稿検出タイミングと前記第２原稿検出部による原稿検出タイミングとの時間差が第１の時間未満の場合、つまり前記綴じ部材検出部における原稿の通過速度が速すぎる場合には、前記綴じ部材の検出を適切に行えない虞がある。従って本態様では、その様な場合に警告の報知を行うことで、リトライ動作をユーザーに促すことができ、ひいては前記綴じ部材を適切に検出することができる。
【００１９】
本発明の第８の態様は、第４から第６の態様のいずれかにおいて、前記制御部は、前記第１原稿検出部が原稿を検出した後、第２の時間未満に前記第２原稿検出部が原稿を検出しない場合、警告の報知を行うことを特徴とする。
【００２０】
前記第１原稿検出部が原稿を検出した後、第２の時間未満に前記第２原稿検出部が原稿を検出しない場合には、例えば原稿が前記綴じ部材検出部による検出領域を正しく通過しなかった虞がある。従って本態様では、その様な場合に警告の報知を行うことで、リトライ動作をユーザーに促すことができ、ひいては前記綴じ部材を適切に検出することができる。
【００２１】
本発明の第９の態様に係る画像読取装置は、原稿を読み取る読み取り部と、前記読み取り部に向けて原稿を送る原稿送り手段と、磁界の変化を検出することにより原稿を綴じる綴じ部材を検出する綴じ部材検出部と、を備え、前記綴じ部材検出部は、第１部位と、当該第１部位と対向配置される第２部位と、を有し、前記第１部位と前記第２部位との間に原稿を通すことで前記綴じ部材を検出する構成を有するとともに、前記第１部位と前記第２部位との間隔を調整可能に構成されていることを特徴とする。
【００２２】
本態様によれば、前記綴じ部材検出部は、第１部位と、当該第１部位と対向配置される第２部位と、を有し、前記第１部位と前記第２部位との間に原稿を通すことで前記綴じ部材を検出する構成を有するとともに、前記第１部位と前記第２部位との間隔を調整可能に構成されているので、前記間隔を調整することで、前記綴じ部材を検出する為の出力（例えば磁界発生コイルが形成する磁界）を調整することができる。その結果、例えば前記間隔を小さくすることで、前記磁界を弱くすることができ、画像読取装置や、その周囲の物体への前記磁界による悪影響を抑制できる。
【００２３】
本発明の第１０の態様は、第９の態様において、前記間隔を検出する間隔検出手段を有し、前記綴じ部材検出部は、磁界を発生させる磁界発生コイルを備えるとともに、前記間隔検出手段により検出された前記間隔に基づき、前記磁界の強さを調整することを特徴とする。
【００２４】
本態様によれば、前記間隔を検出する間隔検出手段を有し、前記綴じ部材検出部は、磁界を発生させる磁界発生コイルを備えるとともに、前記間隔検出手段により検出された前記間隔に基づき、前記磁界の強さを調整するので、前記磁界の強さを前記間隔に応じたものとすることで、必要以上に前記磁界を強くすることを避け、画像読取装置や、その周囲の物体への前記磁界による悪影響を抑制できる。
【００２５】
本発明の第１１の態様は、第１から第１０の態様のいずれかにおいて、前記綴じ部材検出部は、前記読み取り部を備える装置本体に一体に設けられていることを特徴とする。  
本態様によれば、前記綴じ部材検出部は、前記読み取り部を備える装置本体に一体に設けられた構成において、上述した第１から第１０の態様のいずれかと同様な作用効果が得られる。
【図面の簡単な説明】
【００２６】
【図１】本発明に係るスキャナーの外観斜視図。
【図２】本発明に係るスキャナーの原稿搬送経路を示す側断面図。
【図３】本発明に係るスキャナーのブロック図。
【図４】綴じ部材検出部を示す斜視図。
【図５】本発明に係る綴じ部材検出部の構成を説明する側断面図。
【図６】綴じ部材検出部における綴じ部材検出操作を示す模式図。
【図７】綴じ部材検出部における綴じ部材検出操作を示す模式図。
【図８】綴じ部材検出部における綴じ部材検出操作を示す模式図。
【図９】綴じ部材検出操作において綴じ部材を検出した状態を示すタイムチャート図。
【図１０】綴じ部材検出操作において綴じ部材以外の金属異物を検出した状態を示すタイムチャート図。
【図１１】綴じ部材検出制御の流れを示すフローチャート。
【図１２】外乱を検出した際の制御の流れを示すフローチャート。
【図１３】画像読取制御の流れを示すフローチャート。
【図１４】綴じ部材検出部における第１部位と第２部位との間隔を調整した状態を示す側面図。
【図１５】綴じ部材検出部において原稿の厚みを検知するセンサーを設けた変更例を示す模式図。
【図１６】原稿検出部の変更例における原稿検出状態を示す模式図。
【図１７】綴じ部材検出部の変更例を示す斜視図。
【図１８】スキャナーに接続された綴じ部材検出装置を示す斜視図。
【発明を実施するための形態】
【００２７】
以下、本発明の実施の形態を図面に基づいて説明する。尚、各実施例において同一の構成については、同一の符号を付し、最初の実施例においてのみ説明し、以後の実施例においてはその構成の説明を省略する。
【００２８】
図１は本発明に係るスキャナーの外観斜視図であり、図２は本発明に係るスキャナーの原稿搬送経路を示す側断面図であり、図３は本発明に係るスキャナーのブロック図であり、図４は綴じ部材検出部を示す斜視図である。
【００２９】
図５は本発明に係る綴じ部材検出部の構成を説明する側断面図であり、図６は綴じ部材検出部における綴じ部材検出操作を示す模式図であり、図７は綴じ部材検出部における綴じ部材検出操作を示す模式図であり、図８は綴じ部材検出部における綴じ部材検出操作を示す模式図である。
【００３０】
図９は綴じ部材検出操作において綴じ部材を検出した状態を示すタイムチャート図であり、図１０は綴じ部材検出操作において綴じ部材以外の金属異物を検出した状態を示すタイムチャート図であり、図１１は綴じ部材検出制御の流れを示すフローチャートであり、図１２は外乱を検出した際の制御の流れを示すフローチャートである。
【００３１】
図１３は画像読取制御の流れを示すフローチャートであり、図１４は綴じ部材検出部における第１部位と第２部位との間隔を調整した状態を示す側面図であり、図１５は綴じ部材検出部において原稿の厚みを検知するセンサーを設けた変更例を示す模式図である。
【００３２】
図１６は原稿検出部の変更例における原稿検出状態を示す模式図であり、図１７は綴じ部材検出部の変更例を示す斜視図であり、図１８はスキャナーに接続された綴じ部材検出装置を示す斜視図である。
【００３３】
また、各図において示すＸ−Ｙ−Ｚ座標系はＸ方向が装置幅方向であるとともに媒体幅方向、Ｙ方向が画像読取装置における媒体搬送方向、Ｚ方向がＹ方向と直交する方向であり、概ね搬送される媒体の面と直交する方向を示している。尚、各図において＋Ｙ方向側を装置前面側とし、−Ｙ方向側を装置背面側とする。
【００３４】
■■■第１の実施例■■■■
＜＜＜画像読取装置の概要＞＞＞
図１において、画像読取装置の一例としてのスキャナー１０について説明する。スキャナー１０は、本体部１２（図２）と、本体部１２を覆い、スキャナー１０の外面を構成する筐体１４とを備えている。
【００３５】
本体部１２の装置背面側端部には、原稿をセットする原稿セット部１６が設けられている。原稿セット部１６は、原稿を傾斜した姿勢で支持することができるように構成されている。原稿セット部１６には、複数枚の原稿をセットすることができる。原稿セット部１６には、互いに接近する方向、あるいは離間する方向に変位可能な一対のエッジガイド１６ａが設けられ、原稿セット部１６に載置された原稿の側部をガイドするように構成されている。
【００３６】
スキャナー１０の筐体１４の前面側には、ユーザインタフェース部１８が設けられている。ユーザインタフェース部１８は、一例として、タッチパネルとして構成され、表示部と操作部とを兼ねている。ユーザインタフェース部１８を操作することで、スキャナー１０の媒体読取動作等を実行できる。
【００３７】
スキャナー１０の前面側において、ユーザインタフェース部１８の下方には、排出口２０が設けられている。排出口２０の下方には、原稿受け部２２が設けられている。本実施例において原稿受け部２２は、本体部１２の下部において本体部１２内に収納された状態（図２）と本体部１２から前面側に引き出された展開状態（図１）とを切り換え可能に構成されている。筐体１４の側面には、一例として、後述する綴じ部材検出部２４が設けられている。
【００３８】
＜＜＜原稿搬送経路について＞＞＞
図２において、スキャナー１０における原稿搬送経路２６について説明する。尚、図２において符号Ｐが付された太い実線は、スキャナー１０内において原稿搬送経路２６に沿って搬送される原稿の案内経路を示している。
【００３９】
本体部１２において原稿搬送経路２６の経路上には、原稿の搬送方向上流側（−Ｙ方向側）から下流側（＋Ｙ方向側）に向かって、原稿セット部１６に原稿がセットされたことを検出する原稿セット検出センサー２７、「原稿送り手段」としての給送ローラー２８、分離ローラー３０、搬送ローラー対３２、「読み取り部」としての画像読取部３４及び排出ローラー対３６が設けられている。本実施例において給送ローラー２８は、一例として本体部１２内に設けられた不図示の駆動源により回転駆動させられる。
【００４０】
分離ローラー３０は、給送ローラー２８と対向する位置に設けられている。分離ローラー３０は、不図示の付勢手段によって給送ローラー２８に対して付勢された状態に設けられている。分離ローラー３０は、給送ローラー２８と分離ローラー３０との間に複数枚の原稿が入り込むと、給送されるべき最下位の原稿のみを搬送方向下流側に送るべく複数枚の原稿を分離するように構成されている。原稿セット部１６に傾斜した姿勢で支持された原稿は、給送ローラー２８と分離ローラー３０とにニップされて、搬送方向下流側に配置された搬送ローラー対３２に搬送される。次いで、搬送ローラー対３２は、給送ローラー２８から送られてきた原稿を画像読取部３４に向けて送り出す。
【００４１】
画像読取部３４は、原稿搬送経路２６に沿って搬送される原稿の下面、すなわち第１面と対向するように設けられた第１読み取りユニット３８Ａと、原稿搬送経路２６に沿って搬送される原稿の上面、すなわち第２面と対向するように設けられた第２読み取りユニット３８Ｂとを備えている。本実施例において、第１読み取りユニット３８Ａ及び第２読み取りユニット３８Ｂは読み取りユニットとして構成され、一例として密着型イメージセンサーモジュール（ＣＩＳＭ）として構成されている。
【００４２】
搬送ローラー対３２により画像読取部３４に送られた原稿は、画像読取部３４において原稿Ｐの第１面及び第２面の少なくとも一方の面の画像を読み取られた後、画像読取部３４の搬送方向下流側に位置する排出ローラー対３６にニップされて排出口２０から原稿受け部２２に排出される。
【００４３】
＜＜＜制御部について＞＞＞
図２及び図３において、制御部４０について説明する。本実施例において、本体部１２内に制御部４０（図２）が設けられている。本実施例において制御部４０は、複数の電子部品を備える電気回路として構成されている。制御部４０は、図３に示すように、第１読み取りユニット３８Ａ、第２読み取りユニット３８Ｂにおける読取動作、及び給送ローラー２８、搬送ローラー対３２及び排出ローラー対３６の回転駆動、後述する綴じ部材検出部２４及び原稿検出部４２、４４を制御している。
【００４４】
さらに、制御部４０は、記憶部４６を備えている。記憶部４６には、後述するが一例として原稿の検出操作に関する情報が一時的に記憶されるように構成されている。制御部４０は、一例としてスキャナー１０における原稿Ｐの搬送、画像読取動作及び綴じ部材検出動作を制御するように構成されている。また、制御部４０は外部（ＰＣなど）からの指示でスキャナー１０における原稿読取動作の実行に必要な動作を制御してもよい。
【００４５】
＜＜＜綴じ部材検出部について＞＞＞
図４及び図５において、本実施例における綴じ部材検出部２４及び原稿検出部４２、４４の構成について説明する。図４において、綴じ部材検出部２４は、第１部位２４ａと、第２部位２４ｂと、連結部２４ｃとを備えている。第１部位２４ａと、第２部位２４ｂとは、互いに対向しつつ、スキャナー１０の装置高さ方向において間隔を空けて配置されている。本実施例では、第１部位２４ａと第２部位２４ｂとは連結部２４ｃにより連結されている。第１部位２４ａと、第２部位２４ｂとの間には原稿を通すための空隙４８が形成されている。第２部位２４ｂの上面２４ｄにおいて装置前後方向の両端部には、それぞれ原稿の束を空隙４８に向けてガイドするガイド面２４ｅが形成されている。
【００４６】
本実施例において綴じ部材検出部２４は、空隙４８に原稿の束を通すことで、原稿の束を綴じている綴じ部材５０（図４）の検出を行うように構成されている。尚、本実施例における綴じ部材５０は、一例として金属材料（鉄等の磁性体）で形成されたステープラ用つづり針を想定している。
【００４７】
本実施例では、第１部位２４ａと第２部位２４ｂとの間の空隙４８は、距離Ｌ１（図５）に設定されている。本実施例において距離Ｌ１は、原稿セット部１６にセット可能な原稿の最大積載高さに対応している。ここで、距離Ｌ１が原稿セット部１６にセット可能な原稿の最大積載高さに対応するとは、距離Ｌ１が原稿セット部１６にセット可能な原稿の最大積載高さと完全に同じである形態に限られず、多少の誤差を有する形態をも含む意味である。特に、距離Ｌ１を、原稿セット部１６にセット可能な原稿の最大積載高さより僅かに小さく設定することが好適である。これにより、原稿セット部１６に最大積載高さ以上の原稿がセットされることをより確実に防止できる。
【００４８】
図５に示すように、第１部位２４ａには、磁界発生部５２が設けられている。磁界発生部５２は、「磁界発生コイル」としての発振コイル５２ａと、発振回路５２ｂとを備えている。発振回路５２ｂは電気的に制御部４０に接続され、制御部４０により制御されている。発振コイル５２ａは、一例として、後述する原稿検出部４２、４４の原稿検出信号に応じて、第２部位２４ｂ側に設けられた磁界検出部５４に向けて磁界Ｂ（図５において符号Ｂが付された複数の仮想線の矢印）を発生させ、あるいは磁界Ｂの発生を停止させる。
【００４９】
発振コイル５２ａにより発生する磁界は、発振回路５２ｂを介して制御部４０により制御され、発振周波数及び発振強度を変更することができる。尚、本実施例では原稿検出部４２、４４において原稿が検出されない場合、磁界発生部５２は磁界Ｂを発生しないように構成されている。図５の状態では、本来磁界Ｂは形成されていないが、模式的に磁界Ｂが形成された状態を図示している。
【００５０】
磁界検出部５４は、一例として「磁界受信コイル」としての検出コイル５４ａと、検出コイル５４ａの両端に接続された検流器５４ｂとを備えている。本実施例では、検流器５４ｂは制御部４０に電気的に接続されている。検流器５４ｂは、磁界Ｂの変化を検出した際、検出信号を制御部４０に送信するように構成されている。尚、本実施例では、検流器としたが、検圧器としてもよい。
【００５１】
磁界発生部５２の発振コイル５２ａから発生した磁界Ｂ（図５において図面下方側に延びる複数の矢印）は、検出コイル５４ａに対して直角に交わるように貫いている。検出コイル５４ａを貫く磁束Φが変化することで、電磁誘導現象が発生し、検出コイル５４ａの両端に誘導起電力が生じる。本実施例では、この誘導起電力によって流れる誘導電流の変化を、検流器５４ｂで検出している。尚、検圧器とした場合には、誘導起電力の変化を検圧器で検出する。
【００５２】
＜＜＜原稿検出部について＞＞＞
図５において紙面左右方向を原稿通過方向とすると、磁界発生部５２及び磁界検出部５４の両側に原稿検出部４２、４４が配置されている。本実施例では、図５において紙面左方向を原稿通過方向における上流側とし、紙面右方向を原稿通過方向における下流側として説明する。原稿通過方向において磁界発生部５２及び磁界検出部５４の上流側には、第１原稿検出部４２が設けられ、磁界発生部５２及び磁界検出部５４の下流側には、第２原稿検出部４４が設けられている。尚、原稿を紙面右方向から通す際は、右方向が上流側となり、左方向が下流側となる。
【００５３】
本実施例では、第１原稿検出部４２及び第２原稿検出部４４は光学式センサーとして構成され、一例として透過型のセンサーとして構成されている。一例として、第１原稿検出部４２及び第２原稿検出部４４は第１部位２４ａにそれぞれ設けられた発光部４２ａ、４４ａと、第２部位２４ｂにそれぞれ設けられた受光部４２ｂ、４４ｂを備えている。尚、第１原稿検出部４２及び第２原稿検出部４４は、制御部４０と電気的に接続され、検出信号を制御部４０に送信するように構成されている。
【００５４】
ここで、例えば、図５の上の図に示すように、原稿束Ｐ１を装置前面側から空隙４８を介して装置背面側に通す際、原稿束Ｐ１は、第１原稿検出部４２において発光部４２ａと受光部４２ｂとの間の光軸Ｒ１（図５ないし図８において符号Ｒ１が付された細線）を横切る。これにより、第１原稿検出部４２は、空隙４８内に原稿束Ｐ１が入り込んだことを検出し、検出信号を制御部４０に送信する。
【００５５】
ここで、例えば、図６の下の図に示すように、原稿束Ｐ１を装置前面側から空隙４８を介して装置背面側に通す際、原稿束Ｐ１は、最初に上流側に配置された第１原稿検出部４２において発光部４２ａと受光部４２ｂとの間の光軸Ｒ１を横切る。これにより、第１原稿検出部４２は、空隙４８内に原稿束Ｐ１が入り込んだことを検出し、原稿検出信号を制御部４０に送信する。
【００５６】
本実施例では、制御部４０は第１原稿検出部４２の原稿検出信号を受けると磁界発生部５２の発振回路５２ｂを制御して発振コイル５２ａにおいて磁界Ｂを発生させる。これにより、綴じ部材検出部２４における綴じ部材５０の検出準備が整う。尚、原稿が下流側から空隙４８に通された際は、第２原稿検出部４４が原稿検出信号を発し、制御部４０は第２原稿検出部４４の原稿検出信号に基づいて発振コイル５２ａに磁界Ｂを発生させる。
【００５７】
＜＜＜綴じ部材検出操作について＞＞＞
次いで、図６ないし図９及び図１１において、綴じ部材検出操作について説明する。図６の上の図に示すように、ユーザーが原稿の綴じ部材検出操作を開始し、綴じ部材検出部２４の空隙４８内に原稿束Ｐ１を通そうとする。ステップＳ１（図１１）として制御部４０は第１原稿検出部４２が原稿を検出したか否かを監視している。第１原稿検出部４２が原稿を検出しない場合は、ステップＳ１を継続する。
【００５８】
ステップＳ１において、第１原稿検出部４２が原稿を検出するとステップＳ２に移行する。図６の下の図に示すように第１原稿検出部４２の光軸Ｒ１を原稿束Ｐ１が横切ると、図９におけるタイミングｔ１において第１原稿検出部４２がオフ状態からオン状態となり、制御部４０に向けて原稿検出信号を送信する。制御部４０は、原稿検出信号を受けると、不図示のタイマーを作動させて時間のカウントを開始する。
【００５９】
次いで、制御部４０は第１原稿検出部４２から原稿検出信号を受信すると、ステップＳ２として磁界発生部５２において磁界Ｂを発生させる。具体的には、図９に示すようにタイミングｔ１において磁界発生部５２がオフ状態からオン状態へと切り換わり、図７の上の図に示すように発振コイル５２ａから磁界Ｂを発生させる。
【００６０】
＝＝＝第１の条件＝＝＝
以降、本実施例において制御部４０は、第１〜第４の条件を満たすか否かを判断する。先ず、制御部４０はステップＳ３として第１の条件を満たしているか否かを判断する。本実施例において第１の条件は、所定の時間内に原稿が第２原稿検出部４４を通過した場合に充足する。尚、第１の条件における前記「所定の時間」を、「第２の時間」とする。  
具体的には、図８の上の図に示すように、所定の時間内に原稿が第２原稿検出部４４の光軸Ｒ２を横切ると、図９におけるタイミングｔ４において第２原稿検出部４４がオフ状態からオン状態に切り換わり、制御部４０に向けて原稿検出信号を送信する。
【００６１】
この際、制御部４０は、不図示のタイマーから第１原稿検出部４２が原稿を検出したタイミングｔ１（図９）から、第２原稿検出部４４が原稿を検出したタイミングｔ４（図９）までの経過時間を取得し、取得した経過時間が第２の時間内であるかを判断する。ここで、第２の時間は、第１原稿検出部４２と第２原稿検出部４４との間での原稿の通過速度が遅すぎる場合を排除する為に設定される時間であり、例えば、想定する最も遅い移動速度で原稿が第１原稿検出部４２から第２原稿検出部４４までの間を移動した場合における通過時間より長い時間に設定されている。
【００６２】
ここで、第２の時間未満に第２原稿検出部４４において原稿を検出しない場合、即ち原稿の通過速度が遅すぎる場合、原稿が綴じ部材検出部２４における検出領域（空隙４８）を正しく通過しなかった虞がある。
【００６３】
本実施例において制御部４０が、第２の時間未満において第２原稿検出部４４の検出信号を受けた場合、第１の条件を満たしたと判断し、ステップＳ４に移行する。制御部４０が第２の時間を越えて第２原稿検出部４４の検出信号を受けた場合には、第１の条件を満たしていないと判断し、ステップＳ５に移行する。
【００６４】
ステップＳ５において制御部４０は磁界発生部５２の磁界Ｂの発生を停止させる。その後、制御部４０は、不図示のタイマーを停止させてリセットするとともに、ステップＳ６として一例としてユーザインタフェース部１８にその旨の警告表示（例えば、「綴じ部材検出操作が正常に終了しませんでした。確認して下さい。」等のメッセージ表示）を行う。
【００６５】
＝＝＝第２の条件＝＝＝
制御部４０が第２の時間未満において第２原稿検出部４４の検出信号を受けた場合、制御部４０はステップＳ４として第２の条件を満たしているか否かを判断する。本実施例において第２の条件は、綴じ部材検出部２４における原稿の通過速度が速すぎない場合に充足する。尚、第２の条件における前記「所定の時間」を、「第１の時間」とする。  
具体的には、ステップＳ３で得られた、第１原稿検出部４２が原稿を検出したタイミングｔ１（図９）から、第２原稿検出部４４が原稿を検出したタイミングｔ４（図９）までの経過時間が第１の時間以上であるか否かを判断する。
【００６６】
ここで、第１の時間は、磁界検出部５４の検出位置において検出対象物が検出可能な検出時間（サンプリング時間）より長い時間に設定されている。また第１の時間は、第１原稿検出部４２の原稿検出から、磁界検出部５４における磁界Ｂの変化の検出が可能となる時間より長い時間に設定されている。  
第１原稿検出部４２の検出タイミングｔ１（図９）から、第２原稿検出部４４の検出タイミングｔ４（図９）までの経過時間（時間差）が第１の時間未満である場合、原稿の移動速度が速すぎて、誤検出や検出漏れの虞があると判断できる。
【００６７】
制御部４０は、第１原稿検出部４２の検出タイミングｔ１（図９）から第２原稿検出部４４の検出タイミングｔ４（図９）までの経過時間（時間差）が第１の時間未満である場合（原稿の通過速度が速すぎる場合）、第２条件を満たしていないと判断して、ステップＳ５に移行する。  
その後、制御部４０は、磁界発生部５２の磁界Ｂの発生を停止させ、不図示のタイマーを停止させてリセットするとともに、ステップＳ６において一例としてユーザインタフェース部１８にその旨の警告表示（例えば、「綴じ部材検出操作が正常に終了しませんでした。再度、原稿をゆっくり送って綴じ部材検出操作を行ってください。」等のメッセージ表示）を行う。
【００６８】
制御部４０は、第１原稿検出部４２の検出タイミングｔ１（図９）から第２原稿検出部４４の検出タイミングｔ４（図９）までの経過時間（時間差）が第１の時間以上である場合（原稿の通過速度が速すぎない場合）、第２条件を満たしていると判断して、ステップＳ７に移行する。
【００６９】
＝＝＝第３の条件＝＝＝
ステップＳ７において、制御部４０は第３の条件を満たしているか否かを判断する。本実施例において第３の条件は、原稿が第２原稿検出部４４において検出された後、所定の時間内に第１原稿検出部４２及び第２原稿検出部４４における原稿の検出が終了した場合に充足する。尚、第３の条件における上記「所定の時間」を、「第３の時間」とする。第３の時間は、一例として第２の時間以上の時間として設定されている。
【００７０】
ここで、第１原稿検出部４２及び第２原稿検出部４４における原稿の検出の終了について説明する。第１原稿検出部４２を例とすると、図８の上の図に示すように原稿移動方向における原稿の後端が、第１原稿検出部４２の光軸Ｒ１を通過すると、タイミングｔ５（図９）において第１原稿検出部４２がオン状態からオフ状態へ切り換わる。これにより、制御部４０は第１原稿検出部４２において原稿が通過したと判断する。
【００７１】
第２原稿検出部４４の場合は、図８の下の図に示すように原稿移動方向における原稿の後端が第２原稿検出部４４の光軸Ｒ２を通過し、タイミングｔ６（図９）において第２原稿検出部４４がオン状態からオフ状態へ切り換わる。これにより制御部４０は第２原稿検出部４４において原稿が通過したと判断する。
【００７２】
第３の時間が経過しても第１原稿検出部４２及び第２原稿検出部４４において原稿の検出が続いている場合、何らかの理由で原稿が綴じ部材検出部２４に放置されている虞が高いと考えられる。
【００７３】
したがって、制御部４０は第３の時間内に第１原稿検出部４２及び第２原稿検出部４４における原稿の検出が終了しない場合、ステップＳ５に移行する。その後、制御部４０は、磁界発生部５２の磁界Ｂの発生を停止させ、不図示のタイマーを停止させてリセットするとともに、ステップＳ６において一例としてユーザインタフェース部１８にその旨の警告表示（例えば、「綴じ部材検出操作が正常に終了しませんでした。確認してください。」等のメッセージ表示）を行う。
【００７４】
一方、制御部４０は、原稿が第２原稿検出部４４において検出された後、所定の第３の時間内に第１原稿検出部４２及び第２原稿検出部４４における原稿の検出が終了した場合（原稿未検出状態となる）、ステップＳ８に移行する。
【００７５】
＝＝＝第４の条件＝＝＝
ステップＳ８において、制御部４０は第４の条件を満たしているか否かを判断する。本実施例において第４の条件は、綴じ部材５０が未検出の場合に充足する。
【００７６】
ここで、綴じ部材５０の検出について説明する。ステップＳ２において磁界発生部５２が磁界Ｂを発生させた後に、図７の下の図に示すように綴じ部材５０で綴じられた原稿束Ｐ１が磁界Ｂを横切ると、磁界検出部５４は磁界Ｂの変化を検出する。
【００７７】
具体的には、磁界検出部５４は、タイミングｔ２（図９）において磁界の磁界強度が初期状態（図９においては０に設定）から変化を開始すると制御部４０に向けて磁界変化検出信号及び磁界強度情報の送信を開始する。図８の上の図に示すように、綴じ部材５０が磁界Ｂから抜け出ると、タイミングｔ３（図９）において磁界強度が低下し、初期状態に戻り、磁界検出部５４は磁界変化検出信号及び磁界強度情報の送信を停止する。尚、本実施例では、制御部４０は、受信した磁界強度情報が所定の閾値ＴＨ１を超えた場合、綴じ部材５０を検出したと判断する。
【００７８】
ステップＳ８において制御部４０は綴じ部材５０を検出したと判断した場合、ステップＳ５に移行する。その後、制御部４０は、磁界発生部５２の磁界Ｂの発生を停止させ、不図示のタイマーを停止させてリセットするとともに、ステップＳ６において一例としてユーザインタフェース部１８にその旨の警告表示（例えば、「綴じ部材が検出されました。確認して下さい。」等のメッセージ表示）を行う。
【００７９】
ステップＳ８において制御部４０は綴じ部材５０を検出しなかったと判断した場合、ステップＳ９に移行する。ステップＳ９において、制御部４０は、綴じ部材検出操作の時刻、及び綴じ部材が検出されなかった旨を示すフラグを含む第１のデータ（正常検知データ）を記憶部４６に書き込み、記憶させる。  
その後、制御部４０は、ステップＳ１０として磁界発生部５２の磁界Ｂの発生を停止させ、綴じ部材検出制御を終了させる。
【００８０】
＜＜＜綴じ部材検出操作における変更例＞＞＞
本実施例では、第１条件及び第２条件において、第１原稿検出部４２と第２原稿検出部４４との間における原稿先端の通過速度の適否を評価したが、更にこれに加え、原稿後端の通過速度の適否についても同様に評価しても良い。この場合、原稿先端の通過速度、及び原稿後端の通過の少なくともいずれかが不適切であれば、綴じ部材の検出は不適切とし、警告表示を行うようにする。
【００８１】
＜＜＜外乱検出について＞＞＞
次いで、図１２において外乱検出について説明する。本実施例では図６の上の図に示すように第１原稿検出部４２及び第２原稿検出部４４が原稿を検出していない状態（以下、原稿未検出状態という）では、磁界発生部５２は磁界Ｂを発生させないように構成されている。ところで、原稿未検出状態において磁界Ｂが発生していないにも関わらず、磁界検出部５４が外乱ノイズ等により磁界の変化を検出することがある。
【００８２】
図１２において、ステップＳ１１として、制御部４０は、磁界発生部５２における磁界Ｂの発生が停止状態且つ原稿未検出状態において、磁界検出部５４において磁界の変化の有無を判断する。
【００８３】
磁界検出部５４において磁界の変化を検出しない場合には、ステップＳ１１を継続する。磁界検出部５４において磁界の変化を検出した場合には、ステップＳ１２へ移行する。ステップＳ１２において、制御部４０は、磁界の変化を検出した時刻、及び原稿未検出状態における磁界の変化情報を、第２データとして記憶部４６に書き込み、記憶させる。
【００８４】
その後、制御部４０は、ステップＳ１３として、ユーザインタフェース部１８に所定の処理として、警告の報知を行う。具体的には、ユーザインタフェース部１８にその旨の警告表示（例えば、「磁界の変化を検出しました。外乱ノイズの虞があります。確認を行ってください。」等のメッセージ表示）を行う。
【００８５】
尚、外乱検出についてより具体的に説明すると、一例として制御部４０は、原稿未検出状態、つまり磁界Ｂを形成していない状態において適宜時間間隔を空けて、磁界検出部５４において磁界の変化を監視する。
【００８６】
制御部４０は、原稿未検出状態における磁界の検出結果と、記憶部４６に記憶された直前の、あるいは過去数回分の磁界検出結果、または機器校正時における磁界検出結果とを比較する。制御部４０は、今回検出した磁界の結果が過去の結果と異なる場合、つまり磁界が過去の状態に比べて変化した場合、警告を発するように設定されている。
【００８７】
ユーザーは、上記警告を受けた際、スキャナー１０の設置場所を移動させることや、外乱ノイズの発生源をスキャナー１０から遠ざける等の処理を行うことができる。さらに、これらの処理を行った後、ユーザーは外乱ノイズの影響を受けない状態で綴じ部材検出を行い、誤検出を抑制することができる。
【００８８】
本実施例では、１つの磁界検出部５４の磁界変化の検出に基づいて外乱検出を行っているが、例えば、外乱ノイズを検出するための専用の磁界検出部（不図示）をさらに１つ以上備えてもよい。この場合、外乱ノイズを検出するための専用の磁界検出部は、スキャナー１０において磁界検出部５４の近くに配置することが好適である。このように構成すれば、専用の磁界検出部における検出結果が、磁界検出部５４が受ける磁界の変化に近づくので、より磁界の変化の検出精度を高めることができる。
【００８９】
＜＜＜原稿の給送制御について＞＞＞
次いで、図２及び図１３においてスキャナー１０における原稿の給送制御について説明する。図１３において、制御部４０はステップＳ１４として、ユーザインタフェース部１８から入力された原稿の給送指令を検出したか否かを判断する。原稿の給送指令を検出しない場合は、ステップＳ１４を継続する。原稿の給送指令を検出した場合、制御部４０はステップＳ１５に移行する。
【００９０】
ステップＳ１５において、制御部４０は記憶部４６に記憶された第１データ及び第２データを記憶部４６から読み出す。制御部４０は、ステップＳ１６において、読み出された第１データに基づき、直近で綴じ部材検出操作が行われた時刻と現在時刻とを照らし合わせて、所定時間内に綴じ部材検出操作が終了しており、且つ綴じ部材５０が検出されなかったことを確認する。  
制御部４０は、直近で綴じ部材検出操作が行われた時刻から所定時間以上（例えば、１分以上）経過している場合には、ステップＳ１７に移行する。制御部４０は、ステップＳ１７としてユーザインタフェース部１８にその旨の警告表示（例えば、「綴じ部材の検出を行ってから原稿をセットして下さい。」等のメッセージ表示）を行う。
【００９１】
制御部４０は、第１データにおいて所定時間内に綴じ部材検出操作が終了し、且つ綴じ部材５０が検出されなかったことを確認した場合、ステップＳ１８に移行する。制御部４０は、ステップＳ１８において、読み出された第２データに基づき、直近で外乱が検出された時刻と現在時刻とを照らし合わせて、直近で外乱が検出されてから所定の時間（例えば、３０分）以上が経過しているかを判断する。外乱が確認されている場合には、ステップＳ１７に移行する。制御部４０は、ステップＳ１７としてユーザインタフェース部１８にその旨の警告表示（例えば、「電磁波ノイズを検出しています。スキャナー周囲の確認を行ってください。」等のメッセージ表示）を行う。
【００９２】
制御部４０は、ステップＳ１８において外乱が検出されなかったことを確認した場合、ステップＳ１９において、給送ローラー２８、搬送ローラー対３２及び排出ローラー対３６を制御して画像読取部３４に向けて原稿セット部１６にセットされた原稿の給送を開始する。
【００９３】
次いで、制御部４０は、画像読取部３４において原稿の画像を読み取った後、原稿を排出口２０から原稿受け部２２に排出する。
【００９４】
＜＜＜磁界強度検出情報に基づいた異物検出の制御について＞＞＞
次いで、図９及び図１０において、綴じ部材検出操作における異物検出について説明する。最初に磁界について説明する。一般的に磁界には直流磁界と交流磁界がある。直流磁界は、磁石により形成される磁界であり、鉄等の磁性体（綴じ部材５０）が直流磁界を横切ると磁界が変化するので検出することができ、アルミ等の導体が直流磁界を横切ると磁界の変化がほとんどないため検出することができない。  
一方、交流磁界はコイルに交流電流を流した時、発生する磁界であり、鉄等の磁性体（綴じ部材５０）が交流磁界を横切ると磁界が変化するので検出することができ、アルミ等の導体が交流磁界を横切った場合は磁界において渦電流が発生することで磁性体とは特性が異なる変化をするので検出することができる。尚、以下の説明では、磁性体だけでなく導体の検出も行うので、磁界発生部５２は交流磁界を発生させているものとして説明する。
【００９５】
本実施例において、第１原稿検出部４２が原稿先端の通過を検出すると（例えば図９のタイミングｔ１）、制御部４０は磁界発生部５２による磁界の発生を開始し、金属物が磁界検出部５４を通過すると、制御部４０により図９に示す様な矩形状の磁界の変化を検出する。
【００９６】
図９及び図１０において、一例として、原稿の移動方向における大きさで綴じ部材５０とそれ以外の導体との判別を行う。尚、本実施例において、それ以外の導体とは、原稿に貼り付けられた導体、例えば、アルミシール、タグシール、ホログラムシール等の金属材質で形成されているものである。
【００９７】
以下、具体的に説明する。図５において、原稿移動方向において、第１原稿検出部４２と第２原稿検出部４４との間隔は距離Ｌ２に設定されている。制御部４０は、第１原稿検出部４２において原稿を検出する（図９においてタイミングｔ１、図１０においてタイミングｔ７）と、不図示のタイマーにおいて時間のカウントを開始させる。次いで、制御部４０は、第１原稿検出部４２の検出タイミングｔ１（図９）から第２原稿検出部４４の検出タイミングｔ４（図９）までの経過時間を前記タイマーから取得する。
【００９８】
これにより、原稿が第１原稿検出部４２から第２原稿検出部４４まで移動した際の時間Ｔが判明する。さらに、第１原稿検出部４２と第２原稿検出部４４との距離Ｌ２を時間Ｔで割ることで原稿の移動速度Ｖ（＝Ｌ２／Ｔ）が判明する。尚、以下の説明では、綴じ部材５０により綴じられた原稿の移動速度及び導体（アルミシール等）が貼り付けられた原稿の移動速度を同じ移動速度Ｖとして説明する。
【００９９】
図９において、磁界検出部５４において磁界の変化が検出されたタイミングをｔ２とし、磁界の変化が検出されなくなったタイミングをｔ３とする。ここで時間ｔ３−ｔ２は、綴じ部材５０が磁界検出部５４の検出領域を通過する時間に相当する。したがって、時間ｔ３−ｔ２に原稿の移動速度Ｖを掛けることにより、原稿移動方向における綴じ部材５０の大きさ、（ｔ３−ｔ２）×Ｖが求められる。
【０１００】
一方で、図１０において磁界検出部５４において磁界の変化が検出されたタイミングをｔ８とし、磁界の変化が検出されなくなったタイミングをｔ１０とする。ここで時間ｔ１０−ｔ８は、導体（アルミシール等）が磁界検出部５４の検出領域を通過する時間に相当する。したがって、時間ｔ１０−ｔ８に原稿の移動速度Ｖを掛けることにより、原稿移動方向における導体（アルミシール等）の大きさ、（ｔ１０−ｔ８）×Ｖが求められる。
【０１０１】
図９及び図１０において、綴じ部材５０の磁界変化の検出時間（ｔ３−ｔ２）に比べて導体（アルミシール等）の磁界変化の検出時間（ｔ１０−ｔ８）の方が長いことから、原稿移動方向における綴じ部材５０の大きさ、（ｔ３−ｔ２）×Ｖよりも導体（アルミシール等）の大きさ、（ｔ１０−ｔ８）×Ｖの方が大きいことが分かる。したがって、綴じ部材検出制御における磁界の変化時間を利用することで、検出された異物の大きさの判断が可能となる。
【０１０２】
そして検出された異物の大きさに応じた制御を行うことができる。例えば、磁界検出部５４が綴じ部材以外の導体、つまり大きさの大きいもの（アルミシール等）を検出した場合には、図１１を参照しつつ説明した第４条件（図１１のステップＳ８）を満たすものとしても良い。
【０１０３】
ここで、アルミシール等の導体は、多くの場合、一枚の原稿に貼り付けられている。したがって、導体が貼り付けられた原稿と、その他の原稿とは綴じられていないことから、スキャナー１０においてこれらの原稿をまとめて給送しても、原稿の給送に影響がない場合が多い。従ってこの場合は、綴じ部材は検出されなかったものとみなし、警告の報知は行わなくても構わない。  
但し、綴じ部材以外の導体が検出された可能性について注意喚起を行い、ユーザーに導体を検出した原稿の確認を行ってもらい、問題なければスキャナー１０において原稿の給送を行う様に制御してもよい。この場合の注意喚起は、例えば、ユーザインタフェース部１８に、「綴じ部材以外の異物を検出しました。原稿を確認してください。」等のメッセージ表示を行ってもよい。
【０１０４】
上記説明では、磁性体及び導体の検出サイズの違いを異物検出の判断材料の一つとしたが、これに加えて、さらに交流磁界における磁性体と導体の磁界変化時の特性の違いも異物検出の判断材料としてもよい。
【０１０５】
異物検出の他の制御として、一例として綴じ部材５０とそれ以外の導体の判別を、磁界の変化量が所定の閾値を超えたか否かで行うことができる。具体的には、磁界検出部５４において検出される綴じ部材５０以外の導体の磁界の変化量は、磁性体である綴じ部材５０の磁界の変化量と異なることを利用して所定の閾値ＴＨ１が設定されている。制御部４０は、磁界の変化量が所定の閾値ＴＨ１を超えた場合、綴じ部材５０を検出したと判断する。一方で、図１０に示すように磁界強度に変化を起こしても所定の閾値ＴＨ１を超えない場合は、綴じ部材以外の導体であると判断する。したがって、磁界の変化量に応じて、綴じ部材５０とそれ以外の導体の判別を行うことができる。
【０１０６】
＜＜＜実施例の変更例＞＞＞
（１）次いで、図１４において、綴じ部材検出部５６（綴じ部材検出部２４の変更例）について説明する。本実施例では、第１部位２４ａと第２部位２４ｂとの間の距離Ｌ１は固定とする構成としたが、この構成に代えて、第１部位５６ａと第２部位５６ｂとの間の距離Ｌ２を可変としてもよい。具体的には、第１部位５６ａ又は第２部位５６ｂに位置調整手段５６ｃを設けて、第１部位５６ａ及び第２部位５６ｂのいずれか一方を他方に対して接離する方向に変位可能な構成としてもよい。一例として、第１部位５６ａを第２部位５６ｂに接近させることで、第１部位５６ａと第２部位５６ｂとの間隔を調整可能である。位置調整手段５６ｃは、例えばガイド機構やリンク機構等で構成される。
【０１０７】
本変更例では、図１４の上の図において第１部位５６ａと第２部位５６ｂとの間の空隙５８の距離はＬ２に設定されているが、位置調整手段５６ｃにより第１部位５６ａを第２部位５６ｂに接近させることで空隙５８の距離をＬ２より小さいＬ３とすることができる。このように構成することで、綴じ部材検出操作を行う原稿枚数が少ない場合において、原稿と磁界検出部５４との距離を小さくでき、検出感度を確保することができる。
【０１０８】
さらに本変更例において綴じ部材検出部５６において第１部位５６ａと第２部位５６ｂとの間の距離を測定する、「間隔検出手段」としての距離検出センサー６０を設けてもよい。距離検出センサー６０は、例えば、光学式や超音波式のセンサーであってもよい。距離検出センサー６０の検出した距離に応じて磁界発生部５２が発生させる磁界Ｂの発振強度を調整する構成としてもよい。
【０１０９】
具体的には、距離が長い場合（Ｌ２の場合）は磁界Ｂの発振強度を強くし、距離が短い場合（Ｌ３の場合）は磁界Ｂの発振強度を弱くしてもよい。このように構成することで、綴じ部材検出操作を行う原稿枚数が多い場合（原稿束Ｐ２を通す場合）は磁界Ｂの発振強度を強くし、原稿枚数が少ない場合（原稿束Ｐ３を通す場合）は磁界Ｂの発振強度を低くすることで、電力消費を低減できるとともに外部への磁界の影響を低減できる。尚、図１４において、磁界発生部５２及び磁界検出部５４の図示を省略しており、磁界Ｂは模式的に図示している。
【０１１０】
（２）次いで、図１５において綴じ部材検出部６２（綴じ部材検出部２４の変更例）について説明する。本変更例では、第１原稿検出部６４及び第２原稿検出部６６を「間隔検出手段」の一例である距離検出センサーで構成している。第１原稿検出部６４は、検出センサー６４ａ、６４ｂを備えている。同様に、第２原稿検出部６６も検出センサー６６ａ、６６ｂを備えている。第１部位６２ａの上流側に検出センサー６４ａが配置され、下流側に検出センサー６６ａが配置されている。第２部位６２ｂの上流側に検出センサー６４ｂが配置され、下流側に検出センサー６６ｂが配置されている。
【０１１１】
第１部位６２ａと第２部位６２ｂとの間の空隙６８に原稿が通されると、一例として上流側の第１原稿検出部６４に検出される。本変更例では、例えば図１５の上の図において原稿束Ｐ４が通された場合、検出センサー６４ａは原稿束Ｐ４の上面までの距離を測定し、検出センサー６４ｂは原稿束Ｐ４の下面までの距離を測定する。空隙６８の距離Ｌ１から各検出センサー６４ａ、６４ｂの検出距離を差し引くことで原稿束Ｐ４の厚さを検出できる。
【０１１２】
さらに、各検出センサー６４ａ、６４ｂの検出距離により原稿束Ｐ４が空隙６８内における原稿移動方向と交差する方向（装置高さ方向）における位置を特定できる。これらのデータに基づいて、原稿の厚み、空隙６８内における原稿の位置に応じて磁界Ｂの発振強度を調整することができる。具体的には、原稿枚数が多い原稿束Ｐ４の場合は磁界Ｂの発振強度を強くし、原稿枚数の少ない原稿束Ｐ５の場合は磁界Ｂの発振強度を弱くすることができる。尚、原稿が第２原稿検出部６６側から差し込まれた場合も同様に制御される。
【０１１３】
このように構成することで、電力消費を低減できるとともに外部への磁界の影響を低減できる。尚、図１５において、磁界発生部５２及び磁界検出部５４の図示を省略しており、磁界Ｂは模式的に図示している。
【０１１４】
（３）次いで、図１６において綴じ部材検出部７０（綴じ部材検出部２４の変更例）について説明する。本変更例では、磁界発生部５２側の発振コイル５２ａのみで磁界検出部５４側の検出コイル５４ａを必要としない単コイル共振型として構成してもよい。この構成では、第１原稿検出部７２及び第２原稿検出部７４は、反射式の光学式センサーとして構成されている。
【０１１５】
（４）本実施例において、綴じ部材検出部２４は、筐体１４の側面から第１部位２４ａ及び第２部位２４ｂが突出する構成としたが、この構成に代えて、図１７に示すようにスキャナー７６において綴じ部材検出部７８の第１部位７８ａ及び第２部位７８ｂを本体部１２内に配置し、筐体１４の側面に一例として、対向配置された第１部位７８ａと第２部位７８ｂとの間に配置され、装置前面側から装置背面側に延びる、原稿を通すための溝部８０を設ける構成としてもよい。この様に構成することで、装置側面の突出形状がなくなり、美観的にも優れた構成とすることができる。
【０１１６】
（５）本実施例において、綴じ部材検出部２４を筐体１４の側面に設ける構成としたが、この構成に代えて、綴じ部材検出部をスキャナーとは別装置として構成してもよい。図１８に示すようにスキャナー８２にケーブル８４を介して綴じ部材検出装置８６が接続されている。綴じ部材検出装置８６は、基本的には綴じ部材検出部２４と同様の構成である。本変更例においてケーブル８４は、一例として信号線及び電力線の双方を内包している構成であるが、信号線と電力線を別々のケーブルとして構成してもよい。また、ケーブル８４に代えて、綴じ部材検出装置８６内にバッテリーユニットを設ける構成としてもよい。
【０１１７】
本変更例において、綴じ部材検出装置８６は第１部位８６ａと第２部位８６ｂとを備えている。第１部位８６ａの上部には、複数のインジケーターランプ８８Ａ、８８Ｂ、８８Ｃが設けられている。本変更例において、例えば、綴じ部材検出操作を行った際、正常に原稿が通過し、且つ綴じ部材５０を検出しなかった場合には、インジケーターランプ８８Ａが、一例として青色又は緑色で点灯し、綴じ部材５０が検出されなかったことをユーザーが目視で確認できるようになっている。
【０１１８】
さらに、綴じ部材検出操作を行った際、正常に原稿が通過し、且つ導体（アルミシール等）を検出した場合には、インジケーターランプ８８Ｂが、一例として黄色で点灯し、導体（アルミシール等）が検出されたことをユーザーが目視で確認できるようになっている。加えて、綴じ部材検出操作を行った際、正常に原稿が通過し、且つ綴じ部材５０を検出した場合には、インジケーターランプ８８Ｃが、一例として赤色で点灯し、綴じ部材５０が検出されたことをユーザーが目視で確認できるようになっている。
【０１１９】
（６）本実施例において、綴じ部材検出部２４において磁界発生部５２を発振コイルとして構成し、磁界検出部５４を検出コイルとして構成したが、この構成に代えて、磁界発生部５２を永久磁石や電磁石により構成してもよく、磁界検出部５４をホール素子等の磁力検出センサーとしてもよい。
【０１２０】
（７）本実施例において第１原稿検出部４２及び第２原稿検出部４４を透過型の光学式センサーとし、第１部位２４ａに発光部４２ａ、４４ａを設け、第２部位２４ｂに受光部４２ｂ、４４ｂを設ける構成としたが、この構成に代えて、第１部位２４ａに受光部４２ｂ、４４ｂを設け、第２部位２４ｂに発光部４２ａ、４４ａを設ける構成としてもよい。
【０１２１】
（８）本実施例において、綴じ部材検出部２４は、筐体１４の側面に配置する構成としたが、この構成に代えて、原稿受け部２２の先端側下方側に綴じ部材検出部２４を設ける構成としてもよく、綴じ部材検出部２４を筐体１４の正面側において排出口２０の上方に設ける構成としてもよい。
【０１２２】
（９）本実施例において、綴じ部材検出部２４は、筐体１４の側面に一体に形成された構成としたが、この構成に代えて、綴じ部材検出部２４をスキャナー１０に対して着脱可能に構成してもよい。
【０１２３】
（１０）本実施例では、第１部位２４ａと第２部位２４ｂとの間の空隙４８の距離Ｌ１を、原稿セット部１６にセット可能な原稿の最大積載高さに対応させたが、必ずしもこれに限られず、距離Ｌ１を前記最大積載高さよりも小さく、或いは大きくしても良い。
【０１２４】
（１１）本実施例における綴じ部材検出部２４において検出する対象を綴じ部材５０（鉄等の磁性体）に限定する場合は、綴じ部材検出部２４に発生させる磁界を直流磁界としてもよい。
【０１２５】
スキャナー１０は、原稿を読み取る画像読取部３４と、画像読取部３４に向けて原稿Ｐを送る給送ローラー２８と、原稿Ｐが通された際の磁界Ｂの変化を検出することにより原稿を綴じる綴じ部材５０を検出する綴じ部材検出部２４、５６、６２、７０、７８、８６と、綴じ部材検出部２４、５６、６２、７０、７８、８６に原稿Ｐが通された際の原稿Ｐの通過を検出する原稿検出部４２、４４、６４、６６、７２、７４と、原稿検出部４２、４４による原稿の検出情報、及び綴じ部材検出部２４による磁界の変化の検出情報を受ける制御部４０と、を備え、制御部４０は、原稿検出部４２、４４、６４、６６、７２、７４が原稿の通過を検出していない原稿未検出状態において、綴じ部材検出部２４、５６、６２、７０、７８、８６が磁界の変化を検出した場合、所定の処理を実行する。
【０１２６】
上記構成によれば、制御部４０は、原稿検出部４２、４４、６４、６６、７２、７４が原稿の通過を検出していない原稿未検出状態において、綴じ部材検出部２４、５６、６２、７０、７８、８６が磁界の変化を検出した場合、即ち外乱ノイズを検出した場合、所定の処理、例えば、ユーザインタフェース部１８に警告のメッセージを表示する等の所処理を行うことで、より精度良く綴じ部材５０を検出することができる。
【０１２７】
所定の処理は警告の報知である。この構成によれば、外乱ノイズを検出した場合、警告の報知をユーザインタフェース部１８に行うことで、異常状態を検出したことをユーザーが目視で確認でき、リトライ動作をユーザーに促すことができ、ひいては綴じ部材５０を適切に検出することができる。
【０１２８】
綴じ部材検出部２４、５６、６２、７８、８６は、磁界を発生させる発振コイル５２ａと、発振コイル５２ａにより発生した磁界を受信する検出コイル５４ａと、を備えて構成され、綴じ部材検出部２４、５６、６２、７８、８６は、原稿未検出状態における磁界の変化を、発振コイル５２ａによる磁界の形成を止めた状態で行う。この構成によれば、原稿未検出状態における磁界の変化をより確実に検出できる。
【０１２９】
原稿検出部４２、４４、６４、６６、７２、７４は、綴じ部材検出部２４、５６、６２、７８、８６に対する原稿の移動方向において綴じ部材検出部２４、５６、６２、７８、８６が綴じ部材５０を検出する検出位置に対し上流側の第１原稿検出部４２、６４、７２と下流側の第２原稿検出部４４、６６、７４とを備えて構成され、制御部４０は、原稿検出部４２、４４、６４、６６、７２、７４による原稿の検出情報と、綴じ部材検出部２４、５６、６２、７８、８６による磁界の変化の検出情報と、に基づき、綴じ部材検出部２４、５６、６２、７８、８６による検出物の移動方向における大きさを求める。
【０１３０】
上記構成によれば、原稿検出部４２、４４、６４、６６、７２、７４は、綴じ部材検出部２４、５６、６２、７８、８６の検出位置に対し上流側の第１原稿検出部４２、６４、７２と下流側の第２原稿検出部４４、６６、７４とを備えて構成されているので、検出位置に対する原稿の通過速度を算出することができる。そして制御部４０は、原稿検出部４２、４４、６４、６６、７２、７４による原稿の検出情報（即ち原稿の通過速度）と、綴じ部材検出部２４、５６、６２、７８、８６による磁界の変化の検出情報と、に基づき、綴じ部材検出部２４、５６、６２、７８、８６による検出物の移動方向における大きさを求めるので、スキャナー１０、７６、８２において搬送及び読み取りを正常に行うことができるもの（例えばアルミシール）とそうでないもの（例えば綴じ部材５０）とを区別することができ、後の制御に有効に利用することができる。
【０１３１】
綴じ部材検出部２４、５６、６２、７８、８６は、第１原稿検出部４２、６４、７２が原稿を検出した後に、発振コイル５２ａによる磁界Ｂの形成を行う。この構成によれば、発振コイル５２ａによる磁界Ｂの形成を必要最小限に抑えることで、スキャナー１０、７６、８２や、その周囲の物体への前記磁界による悪影響を抑制できる。
【０１３２】
綴じ部材検出部２４、５６、６２、７８、８６は、第１原稿検出部４２、６４、７２及び第２原稿検出部４４、６６、７４の双方が原稿を検出しない原稿未検出状態になった後に、発振コイル５２ａによる磁界Ｂの形成を止める。この構成によれば、発振コイル５２ａによる磁界Ｂの形成を必要最小限に抑えることで、スキャナー１０、７６、８２や、その周囲の物体への前記磁界による悪影響を抑制できる。
【０１３３】
制御部４０は、第１原稿検出部４２、６４、７２による原稿検出タイミングｔ１、ｔ７と第２原稿検出部４４、６６、７４による原稿検出タイミングｔ４、ｔ９との時間差が第１の時間未満の場合、警告の報知を行う。第１原稿検出部４２、６４、７２による原稿検出タイミングｔ１、ｔ７と第２原稿検出部４４、６６、７４による原稿検出タイミングｔ４、ｔ９との時間差が第１の時間未満の場合、つまり綴じ部材検出部２４、５６、６２、７８、８６における原稿の通過速度が速すぎる場合には、綴じ部材５０の検出を適切に行えない虞がある。従ってこの構成では、その様な場合に警告の報知を行うことで、リトライ動作をユーザーに促すことができ、ひいては綴じ部材５０を適切に検出することができる。
【０１３４】
制御部４０は、第１原稿検出部４２、６４、７２が原稿を検出した後、第２の時間未満に第２原稿検出部４４、６６、７４が原稿を検出しない場合、警告の報知を行う。第１原稿検出部４２、６４、７２が原稿を検出した後、第２の時間未満に第２原稿検出部４４、６６、７４が原稿を検出しない場合には、例えば原稿が綴じ部材検出部２４、５６、６２、７８、８６による検出領域を正しく通過しなかった虞がある。従ってこの構成では、その様な場合に警告の報知を行うことで、リトライ動作をユーザーに促すことができ、ひいては綴じ部材５０を適切に検出することができる。
【０１３５】
スキャナー１０は、原稿を読み取る画像読取部３４と、画像読取部３４に向けて原稿を送る給送ローラー２８と、磁界の変化を検出することにより原稿を綴じる綴じ部材５０を検出する綴じ部材検出部５６と、を備え、綴じ部材検出部５６は、第１部位５６ａと、当該第１部位５６ａと対向配置される第２部位５６ｂと、を有し、第１部位５６ａと第２部位５６ｂとの間に原稿を通すことで綴じ部材５０を検出する構成を有するとともに、第１部位５６ａと第２部位５６ｂとの間隔を調整可能に構成されている。この構成によれば、綴じ部材５０を検出する為の出力（例えば発振コイル５２ａが形成する磁界Ｂ）を調整することができる。その結果、例えば間隔を小さくすることで、磁界を弱くすることができ、スキャナー１０や、その周囲の物体への前記磁界による悪影響を抑制できる。
【０１３６】
間隔を検出する距離検出センサー６０、あるいは第１原稿検出部６４、第２原稿検出部６６を有し、綴じ部材検出部５６、６２は、磁界Ｂを発生させる発振コイル５２ａを備えるとともに、距離検出センサー６０、あるいは第１原稿検出部６４、第２原稿検出部６６により検出された間隔に基づき、磁界Ｂの強さを調整する。この構成によれば、磁界Ｂの強さを間隔に応じたものとすることで、必要以上に磁界Ｂを強くすることを避け、スキャナー１０や、その周囲の物体への前記磁界による悪影響を抑制できる。
【０１３７】
綴じ部材検出部２４、５６、６２、７０、７８は、画像読取部３４を備える本体部１２に一体に設けられている。
【０１３８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１３９】
１０、７６、８２…スキャナー、１２…本体部、１４…筐体、１６…原稿セット部、１６ａ…エッジガイド、１８…ユーザインタフェース部、２０…排出口、２２…原稿受け部、２４、５６、６２、７０、７８…綴じ部材検出部、２４ａ、５６ａ、６２ａ、７８ａ、８６ａ…第１部位、２４ｂ、５６ｂ、６２ｂ、７８ｂ、８６ｂ…第２部位、２４ｃ…連結部、２４ｄ…上面、２４ｅ…ガイド面、２６…原稿搬送経路、２７…原稿セット検出センサー、２８…給送ローラー、３０…分離ローラー、３２…搬送ローラー対、３４…画像読取部、３６…排出ローラー対、３８Ａ…第１読み取りユニット、３８Ｂ…第２読み取りユニット、４０…制御部、４２、６４、７２…第１原稿検出部、４２ａ、４４ａ…発光部、４２ｂ、４４ｂ…受光部、４４、６６、７４…第２原稿検出部、４６…記憶部、４８、５８、６８…空隙、５０…綴じ部材、５２…磁界発生部、５２ａ…発振コイル、５２ｂ…発振回路、５４…磁界検出部、５４ａ…検出コイル、５４ｂ…検流器、５６ｃ…位置調整手段、６０…距離検出センサー、６４ａ、６４ｂ、６６ａ、６６ｂ…検出センサー、８０…溝部、８４…ケーブル、８６…綴じ部材検出装置、８８Ａ、８８Ｂ、８８Ｃ…インジケーターランプ、Ｂ…磁界、Ｌ１、Ｌ２、Ｌ３…距離、Ｐ…原稿、Ｐ１、Ｐ２、Ｐ３、Ｐ４、Ｐ５…原稿束、Ｒ１、Ｒ２…光軸、Ｓ１、Ｓ２、Ｓ３、Ｓ４、Ｓ５、Ｓ６、Ｓ７、Ｓ８、Ｓ９、Ｓ１０、Ｓ１１、Ｓ１２、Ｓ１３、Ｓ１４、Ｓ１５、Ｓ１６、Ｓ１７、Ｓ１８、Ｓ１９、Ｓ２０…ステップ、ＴＨ１…閾値、Ｔ…時間、Ｖ…移動速度、ｔ１、ｔ２、ｔ３、ｔ４、ｔ５、ｔ６、ｔ７、ｔ９…タイミング、Φ…磁束
【図１】
2019012895.tif 000003
【図２】
2019012895.tif 000004
【図３】
2019012895.tif 000005
【図４】
2019012895.tif 000006
【図５】
2019012895.tif 000007
【図６】
2019012895.tif 000008
【図７】
2019012895.tif 000009
【図８】
2019012895.tif 000010
【図９】
2019012895.tif 000011
【図１０】
2019012895.tif 000012
【図１１】
2019012895.tif 000013
【図１２】
2019012895.tif 000014
【図１３】
2019012895.tif 000015
【図１４】
2019012895.tif 000016
【図１５】
2019012895.tif 000017
【図１６】
2019012895.tif 000018
【図１７】
2019012895.tif 000019
【図１８】
2019012895.tif 000020